(57)【特許請求の範囲】
【請求項１】
磁気ストライプを有するカードが通過するカード通過路が内部に形成される本体部と、前記本体部の前面に取り付けられるとともに前記カードが挿入されるカード挿入部とを備え、
前記カード挿入部は、前記カードの通過方向に略直交する前記カードの幅方向へスライド可能なスライド部を備え、
前記スライド部は、前記カードが挿入されるカード挿入口が形成される前記カード挿入部の前端部分を構成し、
前記スライド部には、前記カードが通過するカード通過部が形成され、
前記カード挿入部に前記カードが挿入される前の待機状態では、前記カード挿入部から前記本体部に向かって前記カードが通過できないように、前記カードの幅方向において、前記カード通過部の端部と前記カード通過路の端部とがずれており、
前記カード挿入部に前記カードが挿入されると、前記スライド部が前記カードの幅方向へスライドして、前記カード挿入部から前記本体部に向かって前記カードが通過できるように、前記カードの幅方向において、前記カード通過部の端部と前記カード通過路の端部とが略一致することを特徴とするカードリーダ。
【請求項２】
前記スライド部のスライド量は、前記磁気ストライプに記録される１つの磁気トラックの幅と略等しいことを特徴とする請求項１記載のカードリーダ。
【請求項３】
前記カード挿入部に前記カードが挿入されたことを検知するための挿入検知手段を備え、
前記スライド部は、前記挿入検知手段によって前記カード挿入部に前記カードが挿入されたことが検知されると、前記カードの幅方向へスライドし、
前記挿入検知手段によって前記カード挿入部に前記カードが挿入されたことが検知されたときの、前記カードの挿入方向における前記カードの先端から前記カード挿入口までの距離は、前記カードの挿入方向における前記カードの先端から前記カードの挿入方向における前記磁気ストライプの有効データ領域の先端までの距離以上となっていることを特徴とする請求項１または２記載のカードリーダ。
【請求項４】
磁気ストライプを有するカードが通過するカード通過路が内部に形成される本体部と、前記本体部の前面に取り付けられるとともに前記カードが挿入されるカード挿入部とを備え、
前記カード挿入部は、前記カードの通過方向と前記カードの通過方向に略直交する前記カードの幅方向とに略直交する前記カードの厚さ方向へスライド可能なスライド部を備え、
前記スライド部は、前記カードが挿入されるカード挿入口が形成される前記カード挿入部の前端部分を構成し、
前記スライド部には、前記カードが通過するカード通過部が形成され、
前記カード挿入部に前記カードが挿入される前の待機状態では、前記カード挿入部から前記本体部に向かって前記カードが通過できないように、前記カードの厚さ方向において、前記カード通過部の端部と前記カード通過路の端部とがずれており、
前記カード挿入部に前記カードが挿入されると、前記スライド部が前記カードの厚さ方向へスライドして、前記カード挿入部から前記本体部に向かって前記カードが通過できるように、前記カードの厚さ方向において、前記カード通過部の端部と前記カード通過路の端部とが略一致することを特徴とするカードリーダ。
【請求項５】
前記スライド部のスライド量は、前記カードの厚さ以下であることを特徴とする請求項４記載のカードリーダ。
【請求項６】
前記カード通過路を閉鎖するシャッタ部材と、前記シャッタ部材と前記スライド部とを連動させて駆動する駆動源とを備えることを特徴とする請求項１から５のいずれかに記載のカードリーダ。
【請求項７】
前記カード挿入部に前記カードが挿入されたことを検知するための挿入検知手段を備え、
前記挿入検知手段は、前記カードの幅方向における前記カードの端部を検知することで、前記カード挿入部に前記カードが挿入されたことを検知することを特徴とする請求項１から６のいずれかに記載のカードリーダ。
【発明の詳細な説明】
【技術分野】
【０００１】
本発明は、カードに記録された磁気データの読取やカードへの磁気データの記録を行うカードリーダに関する。
【背景技術】
【０００２】
従来、カードに記録された磁気データの読取やカードへの磁気データの記録を行うカードリーダが広く利用されており、カードリーダは、たとえば、金融機関等に設置される現金自動取引装置に搭載されている。カードリーダが利用される金融機関等の業界では、従来、犯罪者が現金自動取引装置等のカードの挿入部分に磁気ヘッドを取り付けて、この磁気ヘッドでカードの磁気データを不正に取得するいわゆるスキミングが大きな問題となっている。そこで、スキミング用の磁気ヘッド（以下、「スキミング用磁気ヘッド」とする。）での磁気データの不正取得を阻止するための構成を備える現金自動取引装置が提案されている（たとえば、特許文献１参照）。
【０００３】
特許文献１に記載の現金自動取引装置では、現金自動取引装置の筺体の前面を構成する前面パネルの奥側にカードリーダが配置されている。前面パネルには、カードリーダへカードを挿入するためのカード挿入孔が形成されている。この現金自動取引装置では、カード挿入孔を覆うシャッタが前面パネルに取り付けられており、このシャッタを利用して、前面パネルにスキミング用磁気ヘッドが取り付けられたか否かを検出している。また、この現金自動取引装置では、前面パネルにスキミング用磁気ヘッドが取り付けられたことが検出されたときに所定の処理を行うことで、スキミング用磁気ヘッドでの磁気データの不正取得を阻止することが可能となっている。
【先行技術文献】
【特許文献】
【０００４】
【特許文献１】特開２００８−１９１９１６号公報
【発明の概要】
【発明が解決しようとする課題】
【０００５】
スキミングを防止するためのスキミング対策が行われていない現金自動取引装置に、特許文献１に記載のシャッタを設ければ、この現金自動取引装置において、スキミング用磁気ヘッドでの磁気データの不正取得を阻止することが可能となる。しかしながら、特許文献１に記載のシャッタを現金自動取引装置の筺体に設けるためには、筺体の前面パネル等の大幅な改造が必要になり、金融機関等にすでに設置されている現金自動取引装置の筺体を現場で改造することは困難な場合がある。
【０００６】
そこで、本発明の課題は、カードリーダが搭載される上位装置にスキミング対策を施す場合に、上位装置の筺体を大幅に改造しなくても、上位装置にスキミング対策を施すことが可能なカードリーダを提供することにある。
【課題を解決するための手段】
【０００７】
上記の課題を解決するため、本発明のカードリーダは、磁気ストライプを有するカードが通過するカード通過路が内部に形成される本体部と、本体部の前面に取り付けられるとともにカードが挿入されるカード挿入部とを備え、カード挿入部は、カードの通過方向に略直交するカードの幅方向へスライド可能なスライド部を備え、スライド部は、カードが挿入されるカード挿入口が形成されるカード挿入部の前端部分を構成し、スライド部には、カードが通過するカード通過部が形成され、カード挿入部にカードが挿入される前の待機状態では、カード挿入部から本体部に向かってカードが通過できないように、カードの幅方向において、カード通過部の端部とカード通過路の端部とがずれており、カード挿入部にカードが挿入されると、スライド部がカードの幅方向へスライドして、カード挿入部から本体部に向かってカードが通過できるように、カードの幅方向において、カード通過部の端部とカード通過路の端部とが略一致することを特徴とする。
【０００９】
本発明では、スライド部は、カードが挿入されるカード挿入口が形成されるカード挿入部の前端部分を構成するとともに、カードの幅方向へスライド可能であり、スライド部には、カードが通過するカード通過部が形成され、カード挿入部にカードが挿入される前の待機状態では、カード挿入部から本体部に向かってカードが通過できないように、カードの幅方向において、カード通過部の端部とカード通過路の端部とがずれており、カード挿入部にカードが挿入されると、スライド部がカードの幅方向へスライドして、カード挿入部から本体部に向かってカードが通過できるように、カードの幅方向において、カード通過部の端部とカード通過路の端部とが略一致する。
【００１０】
そのため、本発明では、上位装置のカードの挿入部分にスキミング装置が取り付けられたときに、スライド部を利用して、カードリーダの内部へカードが取り込まれないようにすることが可能になる。また、スライド部を利用して、磁気ストライプに記録される磁気トラックの位置をスキミング用磁気ヘッドからずらして、スキミング用磁気ヘッドによる不正利用可能な有意な磁気データの読取を阻止することが可能になる。したがって、スキミング用磁気ヘッドでの磁気データの不正取得を阻止することが可能になる。その結果、本発明では、スキミング対策が施されていない上位装置にスキミング対策を施す場合に、上位装置の筺体を大幅に改造しなくても、上位装置にスキミング対策を施すことが可能になる。
【００１１】
また、上記の課題を解決するため、本発明のカードリーダは、磁気ストライプを有するカードが通過するカード通過路が内部に形成される本体部と、本体部の前面に取り付けられるとともにカードが挿入されるカード挿入部とを備え、カード挿入部は、カードの通過方向とカードの通過方向に略直交するカードの幅方向とに略直交するカードの厚さ方向へスライド可能なスライド部を備え、スライド部は、カードが挿入されるカード挿入口が形成されるカード挿入部の前端部分を構成し、スライド部には、カードが通過するカード通過部が形成され、カード挿入部にカードが挿入される前の待機状態では、カード挿入部から本体部に向かってカードが通過できないように、カードの厚さ方向において、カード通過部の端部とカード通過路の端部とがずれており、カード挿入部にカードが挿入されると、スライド部がカードの厚さ方向へスライドして、カード挿入部から本体部に向かってカードが通過できるように、カードの厚さ方向において、カード通過部の端部とカード通過路の端部とが略一致することを特徴とする。
【００１２】
本発明では、カード挿入部にカードが挿入される前の待機状態では、カード挿入部から本体部に向かってカードが通過できないように、カードの厚さ方向において、カード通過部の端部とカード通過路の端部とがずれており、カード挿入部にカードが挿入されると、スライド部がカードの厚さ方向へスライドして、カード挿入部から本体部に向かってカードが通過できるように、カードの厚さ方向において、カード通過部の端部とカード通過路の端部とが略一致するため、上位装置のカードの挿入部分にスキミング装置が取り付けられたときに、スライド部を利用して、カードリーダの内部へカードが取り込まれないようにすることが可能になる。また、スライド部を利用して、スキミング用磁気ヘッドに当接しているカードをスキミング用磁気ヘッドから離して、スキミング用磁気ヘッドでの磁気データの読取を阻止することが可能になる。したがって、スキミング用磁気ヘッドでの磁気データの不正取得を阻止することが可能になる。その結果、本発明では、スキミング対策が施されていない上位装置にスキミング対策を施す場合に、上位装置の筺体を大幅に改造しなくても、上位装置にスキミング対策を施すことが可能になる。
【００１４】
本発明において、スライド部がカードの幅方向へスライドする場合には、スライド部のスライド量は、磁気ストライプに記録される１つの磁気トラックの幅と略等しいことが好ましい。このように構成すると、スライド部のスライド量を最小限にしつつ、スライド部を利用して、カードリーダの内部へカードが取り込まれないようにすること、および、磁気ストライプに記録される磁気トラックの位置をスキミング用磁気ヘッドからずらして、スキミング用磁気ヘッドでの有意な磁気データの読取を阻止することが可能になる。したがって、カードリーダを小型化しつつ、スキミング用磁気ヘッドでの磁気データの不正取得を阻止することが可能になる。
【００１５】
本発明において、カードリーダは、カード挿入部にカードが挿入されたことを検知するための挿入検知手段を備え、スライド部は、挿入検知手段によってカード挿入部にカードが挿入されたことが検知されると、カードの幅方向へスライドし、挿入検知手段によってカード挿入部にカードが挿入されたことが検知されたときの、カードの挿入方向におけるカードの先端からカード挿入口までの距離は、カードの挿入方向におけるカードの先端からカードの挿入方向における磁気ストライプの有効データ領域の先端までの距離以上となっていることが好ましい。このように構成すると、スキミング用磁気ヘッドによって磁気ストライプの有効データ領域の磁気データが読み取られている最中に、スライド部を利用して、磁気トラックの位置をスキミング用磁気ヘッドからずらすことが可能になる。したがって、スキミング用磁気ヘッドでの有意な磁気データの読取を確実に阻止することが可能になる。
【００１６】
本発明において、スライド部がカードの厚さ方向へスライドする場合には、スライド部のスライド量は、カードの厚さ以下であることが好ましい。このように構成すると、スライド部のスライド量を最小限にしつつ、スライド部を利用して、カードリーダの内部へカードが取り込まれないようにすること、および、スキミング用磁気ヘッドに当接しているカードをスキミング用磁気ヘッドから離して、スキミング用磁気ヘッドでの有意な磁気データの読取を阻止することが可能になる。したがって、カードリーダを小型化しつつ、スキミング用磁気ヘッドでの磁気データの不正取得を阻止することが可能になる。
【００１７】
本発明において、カードリーダは、カード通過路を閉鎖するシャッタ部材と、シャッタ部材とスライド部とを連動させて駆動する駆動源とを備えることが好ましい。このように構成すると、シャッタ部材の駆動源とスライド部の駆動源とが別個に設けられている場合と比較して、カードリーダの構成を簡素化することが可能になる。また、このように構成すると、シャッタ部材がすでに設けられているカードリーダにスライド部を追加で設ける場合には、スライド部をスライドさせるといった新たな制御が不要になる。また、シャッタ部材がすでに設けられているカードリーダにスライド部を追加で設ける場合には、スライド部がスライドしないといったエラーが生じても、シャッタ部材のエラーとすれば良いため、新たなエラーコードを追加する必要がなくなる。したがって、カードリーダ内部のファームウェアを変更する必要がなくなり、その結果、上位装置のシステムソフトウェアも変更する必要がなくなる。
【００１８】
本発明において、カードリーダは、カード挿入部にカードが挿入されたことを検知するための挿入検知手段を備え、挿入検知手段は、カードの幅方向におけるカードの端部を検知することで、カード挿入部にカードが挿入されたことを検知することが好ましい。このように構成すると、カードの幅方向の幅が狭い異形カード等の異物がカード挿入部に挿入された場合に、カードの挿入が検知されない。したがって、カードの幅方向の幅が狭い異形カード等の異物がカードリーダ内に取り込まれるのを防止することが可能になる。
【発明の効果】
【００１９】
以上のように、本発明では、カードリーダが搭載される上位装置にスキミング対策を施す場合に、上位装置の筺体を大幅に改造しなくても、上位装置にスキミング対策を施すことが可能になる。
【図面の簡単な説明】
【００２０】
【図１】本発明の実施の形態にかかるカードリーダの概略構成を説明するための側面図である。
【図２】図１に示すカードリーダの前端側の概略構成を説明するための平面図である。
【図３】図１に示すカードリーダへのカードの取り込み動作の一例を説明するためのフローチャートである。
【図４】図１に示すカードリーダの作用を説明するための図である。
【図５】図１に示すカードリーダの作用を説明するための図である。
【図６】本発明の他の実施の形態にかかるカード挿入部の概略構成を説明するための側面図である。
【図７】図６に示すカード挿入部の作用を説明するための図である。
【図８】図６に示すカード挿入部の作用を説明するための図である。
【図９】本発明の他の実施の形態にかかるカード挿入部の概略構成を説明するための側面図である。
【図１０】図９に示すカード挿入部の作用を説明するための図である。
【発明を実施するための形態】
【００２１】
以下、図面を参照しながら、本発明の実施の形態を説明する。
【００２２】
（カードリーダの構成）
図１は、本発明の実施の形態にかかるカードリーダ１の概略構成を説明するための側面図である。図２は、図１に示すカードリーダ１の前端側の概略構成を説明するための平面図である。
【００２３】
本形態のカードリーダ１は、カード２に記録された磁気データの読取および／またはカード２への磁気データの記録を行うための装置であり、たとえば、ＡＴＭ（Ａｕｔｏｍａｔｅｄ  Ｔｅｌｌｅｒ  Ｍａｃｈｉｎｅ）等の所定の上位装置に搭載されて使用される。このカードリーダ１は、図１、図２に示すように、カード２が挿入されるカード挿入口３が形成されるカード挿入部４と、カード２が通過するカード通過路５が内部に形成される本体部６とを備えている。本体部６の内部には、磁気データの読取および／または磁気データの記録を行う磁気ヘッド７と、カード２を搬送するための駆動ローラ８およびパッドローラ９とが配置されている。カードリーダ１は、上位装置の筺体の前面パネル１０の奥側に配置されている。
【００２４】
本形態では、図１等に示すＸ方向にカード２が搬送されて通過する。すなわち、Ｘ方向は、カード２の通過方向である。また、本形態では、図１等に示すＸ１方向にカード２が挿入され、Ｘ２方向にカード２が排出される。すなわち、Ｘ１方向は、カード２の挿入方向であり、Ｘ２方向は、カード２の排出方向である。さらに、Ｘ方向に略直交する図１等のＹ方向は、カード２の幅方向（短手幅方向）であり、Ｘ方向とＹ方向とに略直交する図１等のＺ方向は、カード２の厚さ方向である。なお、以下の説明では、Ｘ方向を「前後方向」、Ｙ方向を「左右方向」、Ｚ方向を「上下方向」とする。また、Ｘ１方向側を「奥（後ろ）」側、Ｘ２方向側を「前」側、Ｙ１方向側を「右」側、Ｙ２方向側を「左」側、Ｚ１方向側を「上」側、Ｚ２方向側を「下」側とする。
【００２５】
カード２は、たとえば、厚さが０．７〜０．８ｍｍ程度の矩形状の塩化ビニール製のカードである。このカード２の裏面（下面）には、磁気データが記録される磁気ストライプ２ａが形成されている。磁気ストライプ２ａには、たとえば、第１トラックから第３トラックまでの３つの磁気データのトラック（磁気トラック）が、カード２の幅方向（左右方向）において所定の間隔で記録されている。磁気ストライプ２ａの、前後方向の両端部分を除いた部分は、磁気データが記録される有効データ領域２ｂとなっている。なお、カード２の表面にＩＣチップが固定されても良いし、通信用のアンテナがカード２に内蔵されても良い。また、カード２は、厚さが０．１８〜０．３６ｍｍ程度のＰＥＴ（ポリエチレンテレフタレート）カードであっても良いし、所定の厚さの紙カード等であっても良い。
【００２６】
磁気ヘッド７は、そのギャップ部がカード通過路５に下側から臨むように配置されている。また、磁気ヘッド７は、左右方向において、カード２の磁気ストライプ２ａに当接可能な位置に配置されている。磁気ヘッド７の上側には、図示を省略する対向ローラが配置されており、磁気ヘッド７と上下方向で対向している。駆動ローラ８は、たとえば、カード通過路５に下側から臨むように配置されている。駆動ローラ８には、モータ等の駆動源を有するローラ駆動機構（図示省略）が連結されている。パッドローラ９は、駆動ローラ８の上側で駆動ローラ８に対向しており、駆動ローラ８に向かって付勢されている。
【００２７】
カード通過路５には、カード通過路５を閉鎖するシャッタ部材１１が配置されている。シャッタ部材１１は、たとえば、本体部６の前端側に配置されている。シャッタ部材１１には、ソレノイド等の駆動源を有するシャッタ駆動機構（図示省略）が連結されており、シャッタ部材１１は、駆動源の動力で、カード通過路５を塞ぐ閉位置と、カード通過路５を開放する開位置とに移動可能となっている。本形態では、カード挿入部４にカード２が挿入される前の待機状態では、シャッタ部材１１は、閉位置にあってカード通過路５を塞いでいる。一方、カード挿入部４にカード２が挿入されると、シャッタ部材１１は、カード通過路５を開放する。また、カード２が本体部６内に取り込まれると、シャッタ部材１１は、カード通過路５を閉鎖する。
【００２８】
カード挿入部４は、本体部６の前面に取り付けられている。カード挿入部４は、本体部６の前面に固定される固定部１２と、固定部１２に対して左右方向へスライド可能なスライド部１３とを備えている。スライド部１３は、固定部１２よりも前側に配置されており、スライド部１３には、カード挿入口３が形成されている。すなわち、スライド部１３は、カード挿入口３が形成されるカード挿入部４の前端部分を構成している。また、カード挿入部４には、カード挿入部４にカード２が挿入されたことを検知するための挿入検知手段（図示省略）が配置されている。また、カード挿入部４には、カード２を本体部６へ引き込むための駆動ローラおよびパッドローラ（図示省略）が配置されている。この駆動ローラは、たとえば、駆動ローラ８が連結されるローラ駆動機構に連結されている。
【００２９】
挿入検知手段は、左右方向におけるカード２の端部を検知することで、カード挿入部４にカード２が挿入されたことを検知する幅検知機構であり、たとえば、カード２の幅方向の端面に接触して変位するレバー部材と、レバー部材の変位を検知する幅検知センサとを備えている。幅検知センサは、たとえば、発光素子と受光素子とを備える光学式のセンサである。レバー部材は、カード２の幅方向の端面が接触するカード接触部と、幅検知センサの発光素子と受光素子との間を遮る遮光部とを備えており、スライド部１３に配置されている。カード２がカード挿入部４に挿入されていないときには、遮光部が幅検知センサの発光素子と受光素子との間を遮っている。一方、所定の規格に適合するカード幅のカード２がカード挿入部４に挿入されると、カード接触部にカード２の幅方向の端面が接触して、幅検知センサの発光素子と受光素子との間から遮光部が外れる。
【００３０】
なお、挿入検知手段は、上下方向でカード通過路５を挟むように配置される発光素子と受光素子とを備える光学式のセンサであっても良いし、カード２に接触するレバー部材と接点スイッチとを備えるマイクロスイッチであっても良い。また、挿入検知手段は、プリヘッド（磁気ヘッド）でも良い。
【００３１】
固定部１２には、カード２が通過するカード通過孔１２ａが形成されている。図２に示すように、左右方向において、カード通過孔１２ａの右端部１２ｂは、カード通過路５の右端部５ｂと略一致しており、カード通過孔１２ａの左端部１２ｃは、カード通過路５の左端部５ｃと略一致している。
【００３２】
スライド部１３には、カード２が通過するカード通過部としてのカード通過孔１３ａが形成されている。カード通過孔１３ａは、カード挿入口３に繋がっている。また、左右方向におけるカード通過孔１３ａの幅は、左右方向におけるカード通過孔１２ａの幅と略等しくなっている。スライド部１３は、シャッタ部材１１を駆動するシャッタ駆動機構に連結されており、シャッタ駆動機構を構成するソレノイド等の駆動源の動力で、左右方向へスライド可能となっている。すなわち、シャッタ駆動機構を構成する駆動源は、シャッタ部材１１とスライド部１３とを連動させて駆動する。
【００３３】
また、シャッタ駆動機構の駆動源からシャッタ部材１１へ動力を伝達する動力伝達機構の一部と、シャッタ駆動機構の駆動源からスライド部１３へ動力を伝達する動力伝達機構の一部とが共通になっている。そのため、何らかの原因でシャッタ部材１１の動作が完了しない場合には、スライド部１３の動作が完了せず、かつ、何らかの原因でスライド部１３の動作が完了しない場合には、シャッタ部材１１の動作が完了しない。すなわち、シャッタ部材１１の動作が完了すれば、スライド部１３の動作も完了している。
【００３４】
本形態では、カード挿入部４にカード２が挿入される前の待機状態では、図２（Ａ）、（Ｂ）に示すように、左右方向において、カード通過孔１３ａの右端部１３ｂは、カード通過路５の右端部５ｂよりも左側に配置されており、カード通過孔１３ａの左端部１３ｃは、カード通過路５の左端部５ｃよりも左側に配置されている。すなわち、待機状態では、カード挿入部４から本体部６に向かってカード２が通過できないように、左右方向において、カード通過孔１３ａの端部１３ｂ、１３ｃと、カード通過路５の端部５ｂ、５ｃとがずれている。
【００３５】
また、挿入検知手段によってカード挿入部４にカード２が挿入されたことが検知されると、スライド部１３は、図２（Ｃ）に示すように、右方向へスライドする。具体的には、左右方向において、カード通過孔１３ａの右端部１３ｂがカード通過路５の右端部５ｂと略一致し、かつ、カード通過孔１３ａの左端部１３ｃがカード通過路５の左端部５ｃと略一致するように、スライド部１３は、右方向へスライドする。すなわち、カード挿入部４にカード２が挿入されると、スライド部１３が右方向へスライドして、カード挿入部４から本体部６に向かってカード２が通過できるように、左右方向において、カード通過孔１３ａの端部１３ｂ、１３ｃと、カード通過路５の端部５ｂ、５ｃとが略一致する。
【００３６】
なお、カード挿入部４にカード２が挿入されたときに、カード挿入部４から本体部６に向かってカード２が通過できるように、スライド部１３が右方向へスライドすれば良いため、スライド部１３が右方向へスライドしたときに、左右方向において、カード通過孔１３ａの右端部１３ｂがカード通過路５の右端部５ｂと略一致するとともに、カード通過孔１３ａの左端部１３ｃがカード通過路５の左端部５ｃより左側に配置されていても良い。同様に、スライド部１３が右方向へスライドしたときに、左右方向において、カード通過孔１３ａの左端部１３ｃがカード通過路５の左端部５ｃと略一致するとともに、カード通過孔１３ａの右端部１３ｂがカード通過路５の右端部５ｂより右側に配置されていても良い。
【００３７】
また、本形態では、スライド部１３のスライド量は、磁気ストライプ２ａに形成される１つの磁気トラックの幅と略等しくなっている。また、挿入検知手段によってカード挿入部４にカード２が挿入されたことが検知されたときの、前後方向におけるカード２の先端（奥端）２ｃからカード挿入口３までの距離Ｌ１は、カード２の先端２ｃから磁気ストライプ２ａの有効データ領域２ｂの先端（奥端）２ｄまでの距離Ｌ２以上となっている（図２（Ｂ）参照）。なお、図２および後述の図５では、説明の便宜上、スライド部１３のスライド量を実際よりも大きく図示している。
【００３８】
前面パネル１０には、カード２が通過するカード通過孔１０ａが形成されている。図２に示すように、左右方向において、カード通過孔１０ａの右端部１０ｂは、カード通過路５の右端部５ｂと略一致しており、カード通過孔１０ａの左端部１０ｃは、待機状態のときのカード通過孔１３ａの左端部１３ｃと略一致している。なお、カード通過孔１０ａの右端部１０ｂは、カード通過路５の右端部５ｂより右側に形成されても良いし、カード通過孔１０ａの左端部１０ｃは、待機状態のときのカード通過孔１３ａの左端部１３ｃより左側に形成されても良い。
【００３９】
上述のように、カード挿入部４にカード２が挿入される前の待機状態では、カード挿入部４から本体部６に向かってカード２が通過できないように、左右方向において、カード通過孔１３ａの端部１３ｂ、１３ｃと、カード通過路５の端部５ｂ、５ｃとがずれている。そのため、図２（Ａ）、（Ｂ）に示すように、このままの状態では、前面パネル１０の前側から挿入されたカード２を本体部６の内部へ取り込むことができないが、カード挿入部４にカード２が挿入されると、スライド部１３が右方向へスライドして、左右方向において、カード通過孔１３ａの端部１３ｂ、１３ｃと、カード通過路５の端部５ｂ、５ｃとが略一致する。したがって、図２（Ｃ）に示すように、前面パネル１０の前側から挿入されたカード２を本体部６の内部へ取り込むことが可能になる。
【００４０】
（カードリーダのカード取り込み動作）
図３は、図１に示すカードリーダ１へのカード２の取り込み動作の一例を説明するためのフローチャートである。
【００４１】
カード挿入部４にカード２が挿入される前の待機状態において、カード挿入部４にカード２が挿入されたことが検知されると（ステップＳ１にて“Ｙｅｓ”になると）、シャッタ駆動機構が起動して、シャッタ部材１１がカード通過路５を開放するとともに、スライド部１３が右方向へスライド（移動）する（ステップＳ２）。その後、シャッタ部材１１が正常にカード通過路５を開放したか否かを判断する（ステップＳ３）。なお、上述のように、シャッタ部材１１の動作とスライド部１３の動作とが連動しており、シャッタ部材１１の動作が完了すれば、スライド部１３の動作も完了するため、シャッタ部材１１が正常にカード通過路５を開放したか否かを判断することで、スライド部１３が正常に右方向へスライドしたか否かを判断することもできる。
【００４２】
ステップＳ３において、シャッタ部材１１が正常にカード通過路５を開放している場合（すなわち、スライド部１３も正常に右方向へスライドしている場合、ステップＳ３で“Ｙｅｓ”の場合）には、ローラ駆動機構が起動して、カード挿入部４に配置される駆動ローラおよび駆動ローラ８が回転し、本体部６の内部へのカード２の取り込みが開始される（ステップＳ４）。本体部６へのカード２の取り込みが完了すると（ステップＳ５にて“Ｙｅｓ”になると）、カード挿入部４に配置される駆動ローラおよび駆動ローラ８が停止する（ステップＳ６）。また、シャッタ部材１１がカード通過路５を閉鎖するとともに、スライド部１３が左方向へスライドして（ステップＳ７）、カードリーダ１へのカード２の取り込み動作が終了する。
【００４３】
一方、ステップＳ３において、シャッタ部材１１が正常にカード通過路５を開放していない場合（あるいは、スライド部１３が正常に右方向へスライドしていない場合、ステップＳ３で“Ｎｏ”の場合）には、カードリーダ１は、シャッタ部材１１が正常に開放されていないとのシャッタエラーを上位装置へ通知し（ステップＳ８）、このエラーが解除されるまで、カード２を本体部６内へ取り込まれない（ステップＳ９）。すなわち、このエラーが解除されるまで、カードリーダ１は待機する。
【００４４】
（本形態の主な効果）
以上説明したように、本形態では、左右方向へスライド可能なスライド部１３がカード挿入部４の前端部分を構成している。また、本形態では、カード挿入部４にカード２が挿入される前の待機状態では、カード挿入部４から本体部６に向かってカード２が通過できないように、左右方向において、カード通過孔１３ａの端部１３ｂ、１３ｃと、カード通過路５の端部５ｂ、５ｃとがずれており、カード挿入部４にカード２が挿入されると、スライド部１３が右方向へスライドして、カード挿入部４から本体部６に向かってカード２が通過できるように、左右方向において、カード通過孔１３ａの端部１３ｂ、１３ｃと、カード通過路５の端部５ｂ、５ｃとが略一致する。
【００４５】
そのため、本形態では、スキミング用磁気ヘッド５１が搭載されたスキミング装置５２が上位装置の前面パネル１０に取り付けられたときに、スライド部１３を利用して、本体部６の内部へカード２が取り込まれないようにすることができる。すなわち、たとえば、図４（Ａ）に示すように、前面パネル１０の前面に取り付けられたスキミング装置５２に形成されるカード２の通過路５２ａの右端部５２ｂが待機状態のときのカード通過孔１３ａの右端部１３ｂと左右方向において略一致しており、かつ、通過路５２ａの左端部５２ｃが待機状態のときのカード通過孔１３ａの左端部１３ｃと左右方向において略一致している場合には、前面パネル１０の前側からカード２が挿入され、カード挿入部４にカード２が挿入されたことが検知されて、スライド部１３が右方向へスライドしようとしても、カード２がスキミング装置５２に引っ掛かるため、スライド部１３は、右方向へスライドしない。そのため、この場合には、本体部６の内部へカード２が取り込まれない。
【００４６】
また、たとえば、図４（Ｂ）に示すように、前面パネル１０の前面に取り付けられたスキミング装置５２の通過路５２ａの右端部５２ｂがカード通過路５の右端部５ｂと左右方向において略一致しており、かつ、通過路５２ａの左端部５２ｃがカード通過路５の左端部５ｃと左右方向において略一致している場合には、前面パネル１０の前側から挿入されたカード２は、スライド部１３の前面（すなわち、カード挿入部４の前面）に当接して、カード挿入部４へカード２を挿入することができない。そのため、この場合にも、本体部６の内部へカード２が取り込まれない。
【００４７】
このように、本形態では、スキミング装置５２が上位装置の前面パネル１０に取り付けられたときに、スライド部１３を利用して、本体部６の内部へカード２が取り込まれないようにすることができる。
【００４８】
また、本形態では、スキミング装置５２が上位装置の前面パネル１０に取り付けられたときに、スライド部１３を利用して、磁気ストライプ２ａに記録される磁気トラックの位置をスキミング用磁気ヘッド５１からずらして、スキミング用磁気ヘッド５１での有意な磁気データの読取を阻止することが可能になる。すなわち、たとえば、図５（Ａ）、（Ｂ）に示すように、前面パネル１０の前面に取り付けられたスキミング装置５２の通過路５２ａの右端部５２ｂがカード通過路５の右端部５ｂと左右方向において略一致しており、かつ、通過路５２ａの左端部５２ｃが待機状態のときのカード通過孔１３ａの左端部１３ｃと左右方向において略一致している場合には、前面パネル１０の前側からカード２が挿入され、カード挿入部４にカード２が挿入されたことが検知されると、スライド部１３とともにカード２が右方向へスライドする。そのため、本形態では、磁気トラックの位置をスキミング用磁気ヘッド５１からずらして、スキミング用磁気ヘッド５１での有意な磁気データの読取を阻止することが可能になる。
【００４９】
特に本形態では、挿入検知手段によってカード挿入部４にカード２が挿入されたことが検知されたときの、前後方向におけるカード２の先端２ｃからカード挿入口３までの距離Ｌ１が、カード２の先端２ｃから磁気ストライプ２ａの有効データ領域２ｂの先端２ｄまでの距離Ｌ２以上となっているため、図５（Ａ）に示すように、スキミング用磁気ヘッド５１によって磁気ストライプ２ａの有効データ領域２ｂの磁気データが読み取られている最中のカード２が、図５（Ｂ）に示すように、スライド部１３とともに右方向へスライドする。すなわち、本形態では、スキミング用磁気ヘッド５１によって有効データ領域２ｂの磁気データが読み取られている最中にカード２を右方向へスライドさせて、磁気トラックの位置をスキミング用磁気ヘッド５１からずらすことができる。したがって、本形態では、スキミング用磁気ヘッド５１での有意な磁気データの読取を確実に阻止することが可能になる。
【００５０】
このように、本形態では、スキミング装置５２が上位装置の前面パネル１０に取り付けられたときに、スライド部１３を利用して、本体部６の内部へカード２が取り込まれないようにすることができ、また、磁気ストライプ２ａに記録される磁気トラックの位置をスキミング用磁気ヘッド５１からずらして、スキミング用磁気ヘッド５１での有意な磁気データの読取を阻止することが可能になる。したがって、本形態では、スキミング用磁気ヘッド５１での磁気データの不正取得を阻止することが可能になり、その結果、スキミング対策が施されていない上位装置にスキミング対策を施す場合に、上位装置の筺体を大幅に改造しなくても、上位装置にスキミング対策を施すことが可能になる。
【００５１】
本形態では、シャッタ駆動機構を構成する駆動源は、シャッタ部材１１とスライド部１３とを連動させて駆動する。そのため、シャッタ部材１１の駆動源とスライド部１３の駆動源とが別個に設けられている場合と比較して、カードリーダ１の構成を簡素化することが可能になる。また、シャッタ部材１１に連動してスライド部１３がスライドするため、従来からあるシャッタ部材１１の開閉制御に加えて、スライド部１３をスライドさせるといった新たな制御を追加する必要がない。また、スライド部１３が正常にスライドしないといったエラーが生じた場合には、従来からあるシャッタ部材１１の開閉エラー（シャッタエラー）とすれば良いため、新たなエラーコードを追加する必要がない。したがって、本形態では、カードリーダ１の内部のファームウェアを変更する必要がなくなり、その結果、上位装置のシステムソフトウェアも変更する必要がなくなる。
【００５２】
本形態では、スライド部１３のスライド量は、磁気ストライプ２ａに形成される１つの磁気トラックの幅と略等しくなっている。そのため、スライド部１３のスライド量を最小限にしつつ、スライド部１３を利用して、本体部６の内部へカード２が取り込まれないようにすること、および、磁気ストライプ２ａに記録される磁気トラックの位置をスキミング用磁気ヘッド５１からずらして、スキミング用磁気ヘッド５１での有意な磁気データの読取を阻止することが可能になる。したがって、本形態では、カードリーダ１を小型化しつつ、スキミング用磁気ヘッド５１での磁気データの不正取得を阻止することが可能になる。
【００５３】
本形態では、カード挿入部４にカード２が挿入されたことを検知するための挿入検知手段は、左右方向におけるカード２の端部を検知することで、カード挿入部４にカード２が挿入されたことを検知する幅検知機構である。そのため、左右方向の幅が狭い異形カード等の異物がカード挿入部４に挿入された場合に、カード２の挿入が検知されず、スライド部１３は、右方向へスライドしない。したがって、本形態では、左右方向の幅が狭い異形カード等の異物が本体部６の内部へ取り込まれるのを防止することが可能になる。
【００５４】
（カード挿入部の変形例１）
図６は、本発明の他の実施の形態にかかるカード挿入部４の概略構成を説明するための側面図である。図７、図８は、図６に示すカード挿入部４の作用を説明するための図である。
【００５５】
上述した形態では、スライド部１３は、左右方向へスライド可能となっているが、変形例１にかかるカード挿入部４では、スライド部２３は、上下方向へスライド可能となっている。なお、変形例１にかかるカード挿入部４では、スライド部２３の構成を除くその他の構成は、上述した形態のカード挿入部４と同様になっている。
【００５６】
スライド部２３には、カード２が通過するカード通過部としてのカード通過孔２３ａが形成されており、上下方向におけるカード通過孔２３ａの幅は、上下方向におけるカード通過孔１２ａの幅と略等しくなっている。カード通過孔２３ａは、カード挿入口３に繋がっている。スライド部２３は、シャッタ部材１１を駆動するシャッタ駆動機構に連結されており、シャッタ駆動機構を構成するソレノイド等の駆動源の動力で、上下方向へスライド可能となっている。また、シャッタ駆動機構の駆動源からシャッタ部材１１へ動力を伝達する動力伝達機構の一部と、シャッタ駆動機構の駆動源からスライド部２３へ動力を伝達する動力伝達機構の一部とが共通になっている。そのため、何らかの原因でシャッタ部材１１の動作が完了しない場合には、スライド部２３の動作が完了せず、かつ、何らかの原因でスライド部２３の動作が完了しない場合には、シャッタ部材１１の動作が完了しない。
【００５７】
変形例１にかかるカード挿入部４では、上下方向において、カード通過孔１２ａの上端部１２ｄは、カード通過路５の上端部５ｄと略一致しており、カード通過孔１２ａの下端部１２ｅは、カード通過路５の下端部５ｅと略一致している。また、カード挿入部４にカード２が挿入される前の待機状態では、図６（Ａ）、（Ｂ）に示すように、上下方向において、カード通過孔２３ａの上端部２３ｄは、カード通過路５の上端部５ｄよりも下側に配置されており、カード通過孔２３ａの下端部２３ｅは、カード通過路５の下端部５ｅよりも下側に配置されている。すなわち、待機状態では、カード挿入部４から本体部６に向かってカード２が通過できないように、上下方向において、カード通過孔２３ａの端部２３ｄ、２３ｅと、カード通過路５の端部５ｄ、５ｅとがずれている。
【００５８】
また、カード挿入部４に配置される挿入検知手段によってカード挿入部４にカード２が挿入されたことが検知されると、スライド部２３は、図６（Ｃ）に示すように、上方向へスライドする。具体的には、上下方向において、カード通過孔２３ａの上端部２３ｄがカード通過路５の上端部５ｄと略一致し、かつ、カード通過孔２３ａの下端部２３ｅがカード通過路５の下端部５ｅと略一致するように、スライド部２３は、上方向へスライドする。すなわち、カード挿入部４にカード２が挿入されると、スライド部２３が上方向へスライドして、カード挿入部４から本体部６に向かってカード２が通過できるように、上下方向において、カード通過孔２３ａの端部２３ｄ、２３ｅと、カード通過路５の端部５ｄ、５ｅとが略一致する。
【００５９】
なお、カード挿入部４にカード２が挿入されたときに、カード挿入部４から本体部６に向かってカード２が通過できるように、スライド部２３が上方向へスライドすれば良いため、スライド部２３が上方向へスライドしたときに、上下方向において、カード通過孔２３ａの下端部２３ｅがカード通過路５の下端部５ｅと略一致するとともに、カード通過孔２３ａの上端部２３ｄがカード通過路５の上端部５ｄより上側に配置されていても良い。
【００６０】
また、スライド部２３のスライド量は、カード２の厚さ以下となっている。なお、図６〜図８では、説明の便宜上、スライド部２３のスライド量を実際よりも大きく図示している。
【００６１】
前面パネル１０に形成されるカード通過孔１０ａの上端部１０ｄは、図６に示すように、上下方向において、カード通過路５の上端部５ｄと略一致している。カード通過孔１０ａの下端部１０ｅは、待機状態のときのカード通過孔２３ａの下端部２３ｅと略一致している。なお、カード通過孔１０ａの上端部１０ｄは、カード通過路５の上端部５ｄより上側に形成されても良いし、カード通過孔１０ａの下端部１０ｅは、待機状態のときのカード通過孔２３ａの下端部２３ｅより下側に形成されても良い。
【００６２】
上述のように、カード挿入部４にカード２が挿入される前の待機状態では、カード挿入部４から本体部６に向かってカード２が通過できないように、上下方向において、カード通過孔２３ａの端部２３ｄ、２３ｅと、カード通過路５の端部５ｄ、５ｅとがずれている。そのため、図６（Ａ）、（Ｂ）に示すように、このままの状態では、前面パネル１０の前側から挿入されたカード２を本体部６の内部へ取り込むことができないが、カード挿入部４にカード２が挿入されると、スライド部２３が上方向へスライドして、上下方向において、カード通過孔２３ａの端部２３ｄ、２３ｅと、カード通過路５の端部５ｄ、５ｅとが略一致する。したがって、図６（Ｃ）に示すように、前面パネル１０の前側から挿入されたカード２を本体部６の内部へ取り込むことが可能になる。
【００６３】
変形例１にかかるカード挿入部４では、上下方向へスライド可能なスライド部２３がカード挿入部４の前端部分を構成している。また、カード挿入部４にカード２が挿入される前の待機状態では、カード挿入部４から本体部６に向かってカード２が通過できないように、上下方向において、カード通過孔２３ａの端部２３ｄ、２３ｅと、カード通過路５の端部５ｄ、５ｅとがずれており、カード挿入部４にカード２が挿入されると、スライド部２３が上方向へスライドして、カード挿入部４から本体部６に向かってカード２が通過できるように、上下方向において、カード通過孔２３ａの端部２３ｄ、２３ｅと、カード通過路５の端部５ｄ、５ｅとが略一致する。
【００６４】
そのため、上述した形態と同様に、スキミング装置５２が上位装置の前面パネル１０に取り付けられたときに、スライド部２３を利用して、本体部６の内部へカード２が取り込まれないようにすることができる。すなわち、たとえば、図７（Ａ）に示すように、前面パネル１０の前面に取り付けられたスキミング装置５２の通過路５２ａの上端部５２ｄが待機状態のときのカード通過孔２３ａの上端部２３ｄと上下方向において略一致しており、かつ、通過路５２ａの下端部５２ｅが待機状態のときのカード通過孔２３ａの下端部２３ｅと上下方向において略一致している場合には、前面パネル１０の前側からカード２が挿入され、カード挿入部４にカード２が挿入されたことが検知されて、スライド部２３が上方向へスライドしようとしても、カード２がスキミング装置５２に引っ掛かるため、スライド部２３は、上方向へスライドしない。そのため、この場合には、本体部６の内部へカード２が取り込まれない。
【００６５】
また、たとえば、図７（Ｂ）に示すように、前面パネル１０の前面に取り付けられたスキミング装置５２の通過路５２ａの上端部５２ｄがカード通過路５の上端部５ｄと上下方向において略一致しており、かつ、通過路５２ａの下端部５２ｅがカード通過路５の下端部５ｅと上下方向において略一致している場合には、前面パネル１０の前側から挿入されたカード２は、カード挿入部４の前面に当接して、カード挿入部４へカード２を挿入することができない。そのため、この場合にも、本体部６の内部へカード２が取り込まれない。
【００６６】
このように、変形例１にかかるカード挿入部４では、スキミング装置５２が上位装置の前面パネル１０に取り付けられたときに、スライド部２３を利用して、本体部６の内部へカード２が取り込まれないようにすることができる。
【００６７】
また、変形例１にかかるカード挿入部４では、スキミング装置５２が上位装置の前面パネル１０に取り付けられたときに、スライド部２３を利用して、スキミング用磁気ヘッド５１に当接しているカード２をスキミング用磁気ヘッド５１から離して、スキミング用磁気ヘッド５１での磁気データの読取を阻止することが可能になる。すなわち、たとえば、図８（Ａ）、（Ｂ）に示すように、前面パネル１０の前面に取り付けられたスキミング装置５２の通過路５２ａの上端部５２ｄがカード通過路５の上端部５ｄと上下方向において略一致しており、かつ、通過路５２ａの下端部５２ｅが待機状態のときのカード通過孔２３ａの下端部２３ｅと上下方向において略一致している場合には、前面パネル１０の前側からカード２が挿入され、カード挿入部４にカード２が挿入されたことが検知されると、図８（Ａ）に示すように、スキミング用磁気ヘッド５１に当接しているカード２が、図８（Ｂ）に示すように、スライド部２３とともに上方向へスライドして、スキミング用磁気ヘッド５１から離れる。そのため、スキミング用磁気ヘッド５１での磁気データの読取を阻止することが可能になる。
【００６８】
このように、変形例１にかかるカード挿入部４では、スキミング装置５２が上位装置の前面パネル１０に取り付けられたときに、スライド部２３を利用して、本体部６の内部へカード２が取り込まれないようにすることができ、また、スキミング用磁気ヘッド５１に当接しているカード２をスキミング用磁気ヘッド５１から離して、スキミング用磁気ヘッド５１での磁気データの読取を阻止することが可能になる。したがって、変形例１にかかるカード挿入部４でも、上述した形態と同様に、スキミング用磁気ヘッド５１での磁気データの不正取得を阻止することが可能になり、その結果、スキミング対策が施されていない上位装置にスキミング対策を施す場合に、上位装置の筺体を大幅に改造しなくても、上位装置にスキミング対策を施すことが可能になる。
【００６９】
また、変形例１にかかるカード挿入部４では、スライド部２３のスライド量は、カード２の厚さ以下となっているため、スライド部２３のスライド量を最小限にしつつ、スライド部２３を利用して、本体部６の内部へカード２が取り込まれないようにすること、および、スキミング用磁気ヘッド５１に当接しているカード２をスキミング用磁気ヘッド５１から離して、スキミング用磁気ヘッド５１での有意な磁気データの読取を阻止することが可能になる。したがって、カードリーダ１を小型化しつつ、スキミング用磁気ヘッド５１での磁気データの不正取得を阻止することが可能になる。
【００７０】
なお、変形例１にかかるカード挿入部４において、カード挿入部４にカード２が挿入されたときに、スライド部２３が下方向へスライドするように、カード挿入部４が構成されても良い。
【００７１】
（カード挿入部の変形例２）
図９は、本発明の他の実施の形態にかかるカード挿入部４の概略構成を説明するための側面図である。図１０は、図９に示すカード挿入部４の作用を説明するための図である。
【００７２】
上述した形態では、スライド部１３は、左右方向へスライド可能となっており、変形例１では、スライド部１３は、上下方向へスライド可能となっているが、変形例２にかかるカード挿入部４では、スライド部３３は、前後方向へスライド可能となっている。なお、変形例２にかかるカード挿入部４では、スライド部３３の構成を除くその他の構成は、上述した形態のカード挿入部４と同様になっている。
【００７３】
スライド部３３には、カード２が通過するカード通過孔３３ａが形成されており、カード通過孔３３ａは、前後方向から見たときに、固定部１２のカード通過孔１２ａとほぼ重なるように形成されている。カード通過孔３３ａは、カード挿入口３に繋がっている。
【００７４】
スライド部３３は、シャッタ部材１１を駆動するシャッタ駆動機構に連結されており、シャッタ駆動機構を構成するソレノイド等の駆動源の動力で、前後方向へスライド可能となっている。また、シャッタ駆動機構の駆動源からシャッタ部材１１へ動力を伝達する動力伝達機構の一部と、シャッタ駆動機構の駆動源からスライド部３３へ動力を伝達する動力伝達機構の一部とが共通になっている。そのため、何らかの原因でシャッタ部材１１の動作が完了しない場合には、スライド部３３の動作が完了せず、かつ、何らかの原因でスライド部３３の動作が完了しない場合には、シャッタ部材１１の動作が完了しない。
【００７５】
変形例２にかかるカード挿入部４では、カード挿入部４にカード２が挿入される前の待機状態では、図９（Ａ）に示すように、前後方向において、カード挿入口３が形成されるスライド部３３の前端とカード挿入部４の前面とが略一致している。また、カード挿入部４に配置される挿入検知手段によってカード挿入部４にカード２が挿入されたことが検知されると、スライド部３３は、図９（Ｂ）に示すように、前方向へスライドする。すなわち、前後方向において、スライド部３３の前端がカード挿入部４の前面よりも前方向へ突出するように、スライド部３３は、前方向へスライドする。なお、変形例２にかかるカード挿入部４では、前面パネル１０のカード通過孔１０ａは、スライド部３３が通過可能な大きさとなっている。
【００７６】
このカード挿入部４では、カード挿入部４にカード２が挿入されると、スライド部３３が前方向へスライドして、スライド部３３の前端がカード挿入部４の前面よりも前方向へ突出する。そのため、スキミング装置５２が上位装置の前面パネル１０に取り付けられたときに、図１０に示すように、前方向へスライドするスライド部３３をスキミング装置５２に当接させることが可能になり、スライド部３３をスキミング装置５２に当接させることで、スライド部３３のスライド動作を途中で停止させることが可能になる。スライド部３３のスライド動作が途中で停止した場合には、カードリーダ１は、シャッタ部材１１が正常に開放されていないとのシャッタエラーを上位装置へ通知して、このエラーが解除されるまで、カード２を本体部６内に取り込まない。そのため、変形例２にかかるカード挿入部４では、本体部６内へのカード２の取り込みを中止することが可能になり、スキミング用磁気ヘッド５１での磁気データの不正取得を阻止することが可能になる。
【００７７】
このように、変形例２にかかるカード挿入部４では、スキミング装置５２が上位装置の前面パネル１０に取り付けられたときに、スライド部３３を利用して、本体部６の内部へカード２が取り込まれないようにすることができるため、スキミング用磁気ヘッド５１での磁気データの不正取得を阻止することが可能になる。その結果、上述した形態と同様に、スキミング対策が施されていない上位装置にスキミング対策を施す場合に、上位装置の筺体を大幅に改造しなくても、上位装置にスキミング対策を施すことが可能になる。
【００７８】
なお、変形例２にかかるカード挿入部４において、カード挿入部４にカード２が挿入されたときに、スライド部３３が奥方向へスライドするように、カード挿入部４が構成されても良い。この場合には、スキミング装置５２がスライド部３３の奥側に取り付けられたときに、奥方向へスライドするスライド部３３をスキミング装置５２に当接させることが可能になり、スライド部３３をスキミング装置５２に当接させることで、スライド部３３のスライド動作を途中で停止させることが可能になる。したがって、上述のように、本体部６の内部へカード２が取り込まれないようにすることが可能になる。
【００７９】
（他の実施の形態）
上述した形態および変形例は、本発明の好適な形態の一例ではあるが、これに限定されるものではなく本発明の要旨を変更しない範囲において種々変形実施が可能である。
【００８０】
上述した形態では、スライド部１３は、左右方向へスライド可能となっており、変形例１では、スライド部２３は、上下方向へスライド可能となっており、変形例２では、スライド部３３は、前後方向へスライド可能となっている。この他にもたとえば、スライド部１３、２３、３３は、左右方向、上下方向および前後方向の３方向へスライド可能となっていても良いし、左右方向、上下方向および前後方向のうちの任意に選択される２方向へスライド可能となっていても良い。
【００８１】
上述した形態では、スライド部１３のスライド量は、磁気ストライプ２ａに形成される１つの磁気トラックの幅と略等しくなっているが、スライド部１３のスライド量は、磁気ストライプ２ａに形成される１つの磁気トラックの幅より大きくても良い。また、変形例１では、スライド部２３のスライド量は、カード２の厚さ以下となっているが、スライド部２３のスライド量は、カード２の厚さより大きくても良い。また、上述した形態では、挿入検知手段によってカード挿入部４にカード２が挿入されたことが検知されたときの、前後方向におけるカード２の先端２ｃからカード挿入口３までの距離Ｌ１は、カード２の先端２ｃから磁気ストライプ２ａの有効データ領域２ｂの先端２ｄまでの距離Ｌ２以上となっているが、距離Ｌ１は、距離Ｌ２より短くても良い。
【００８２】
上述した形態では、スライド部１３、２３、３３は、シャッタ部材１１を駆動するシャッタ駆動機構に連結されており、シャッタ駆動機構を構成するソレノイド等の駆動源の動力で、スライド可能となっている。この他にもたとえば、スライド部１３、２３、３３は、スライド部１３、２３、３３を駆動する専用の駆動機構に連結されても良い。この場合には、カードリーダ１は、シャッタ部材１１およびシャッタ駆動機構を備えていなくても良い。
【００８３】
上述した形態では、カードリーダ１は、駆動ローラ８およびパッドローラ９を備えるカード搬送式のカードリーダであるが、本発明の構成が適用されるカードリーダは、ユーザが手動でカード２を移動させながら、磁気データの読取や記録を行う手動式のカードリーダであっても良い。たとえば、本発明の構成が適用されるカードリーダは、カードリーダ内へカード２を差し込む際、あるいは、カードリーダからカード２を引き抜く際に磁気データの読取や記録を行ういわゆるディップ式のカードリーダであっても良い。
【符号の説明】
【００８４】
１  カードリーダ
２  カード
２ａ  磁気ストライプ
２ｂ  有効データ領域
２ｃ  カードの先端
２ｄ  有効データ領域の先端
３  カード挿入口
４  カード挿入部
５  カード通過路
５ｂ、５ｃ、５ｄ、５ｅ  カード通過路の端部
６  本体部
１１  シャッタ部材
１３、２３、３３  スライド部
１３ａ、２３ａ  カード通過孔（カード通過部）
１３ｂ、１３ｃ、２３ｄ、２３ｅ  カード通過孔の端部（カード通過部の端部）
Ｌ１  カードの先端からカード挿入口までの距離
Ｌ２  カードの先端から有効データ領域の先端までの距離
Ｘ  カードの通過方向
Ｘ１  カードの挿入方向
Ｙ  カードの幅方向
Ｚ  カードの厚さ方向
【図１】
0005850568.tif 000002
【図２】
0005850568.tif 000003
【図３】
0005850568.tif 000004
【図４】
0005850568.tif 000005
【図５】
0005850568.tif 000006
【図６】
0005850568.tif 000007
【図７】
0005850568.tif 000008
【図８】
0005850568.tif 000009
【図９】
0005850568.tif 000010
【図１０】
0005850568.tif 000011